(57)【要約】      （修正有）【課題】高い場所からの部屋内部の直視を防ぎプライバシーを守り、簾固定紐輪を使い取り付けや取り外しが簡単な、防犯用目隠しすだれを提供する。【解決手段】洗濯した女性の下着７を家の外から直視させない防犯用すだれ５であり、素材に模様等の色彩加工を施した長さ９０ｃｍ程で幅広なすだれで、簾固定紐１を挟み込み縫い付け装着してすだれパット３とし、下着の周りを左右に移動させ、覆い隠して下着の盗難を予防する。すだれ下部に、風での捲り上がりを軽減する金属製の錘を装着して、道路の高架橋や隣が高い棟等の近くでは軒下の高い位置に設置してもよい。簾固定紐輪で取り付け取り外しが簡単であり、使用しない時には収納できる。【選択図】図１
0003201013.tif 000002
【実用新案登録請求の範囲】
【請求項１】
防犯用のすだれ、物干し等の下着の盗難を防止する化繊布等の短冊状で、長さ１００ｃｍ幅３０ｃｍ程のすだれに化繊等の簾固定紐を、すだれの上部で折返して挟み込み縫い付してすだれパットを構築して、中央部には簾固定紐を通せる空間を有し紐間を移動でき、簾固定紐に長さ９０ｃｍ程のすだれを洗濯物の周りを覆い隠す枚数を取り付けて、家の外から女性の下着を覆い隠して直視させず、盗難を防止することを特徴とする、目隠しすだれ。
【請求項２】
請求項１に記載の、防犯用のすだれで、すだれ素材に模様等の色彩加工を施し、簾固定紐間で長さ９０ｃｍ程のすだれを下着の位置に合わせて、すだれパットで左右に移動し覆い隠して下着を直視させない、化繊布等の素材により風による捲り上がりを軽減する金属製の錘を装着して、道路の高架橋や隣が高い棟等の近くでは軒下等に設置し、高い場所から部屋内部の直視を防ぎプライバシーを守り、簾固定紐の先端を湾曲させて簾固定紐輪を構築し、この簾固定紐輪を洗濯竿等に引っ掛け取り外しも簡単で、使用しない時には簡単に収納出来ることを特徴とする、目隠しすだれ。
【考案の詳細な説明】
【技術分野】
【０００１】    本考案は、防犯用の目隠しすだれで、すだれ素材に模様等の色彩加工を施した、化繊布等で短冊状の長さ１００ｃｍ程のすだれと簾固定紐を、すだれ上部を折返して挟み込み縫い付装着し、内部には簾固定紐を通せる空間を有するすだれパットを、簾固定紐間で左右に移動させ下着を隠して盗難を防止し、素材により風による捲り上がりを軽減する錘を装着し、道路の高架橋や隣が高い棟等近くでは軒下等に設置し、高い場所からの部屋内部の直視を防ぎプライバシーを守り、簾固定紐輪を使い取り付や取り外しが簡単な、目隠しすだれに関する。
【背景技術】
【０００２】    着替え時の目隠し用のコートで着替えや用便時に使用者の、腹部から膝下部まで覆う筒状のコートや、固定プレート部に固定具挿通孔を形成し固定具を装着、風を通し室内の光などを常時遮断する目隠しフエンス、窓枠に取り付けパネル用のルーバーで目隠しを行う固定具から通されたシートカバーを、ブラインド状のすだれに形成し物干しに装着するカバーや、遮蔽性を図った目隠しパネルで型枠をベランダに設置する、支柱に取り付け傾斜させた羽を後方に屈曲させ、斜めに支柱を取付して支柱を支持溝に差込取り付けるもの、ガラス窓に紙製の目隠しを吸着剤で窓に貼り付けるガラス窓用の目隠しシートや、矩形の平板全面パネルに四角形の多数の貫通孔を、穿設させたパネル板の目隠し等が有る。
【先行技術文献】
【特許文献】
【０００３】
【特許文献１】  特開２０１４−０６５９８２
【特許文献２】  特開２００９−０３４４１１
【特許文献３】  特開２００７−１００４９１
【特許文献４】  特開２００４−０３６２９８
【特許文献５】  特開２００１−２３８７８８
【特許文献６】  特開２００８−０６３８８３
【特許文献７】  特開平１１−２８０３５８
【考案の概要】
【考案が解決しようとする課題】
【０００４】    上記特許文献１の示す目隠し用コートは、着替えや用便時の目隠し用コートで体を覆い隠す筒状にしたシート材で、胸から膝部までを覆い隠す部位と胸から肩部は、内部を視認できる構造の目隠しコートで体を隠すだけの物である。
上記特許文献２の示す物干しカバーは、固定プレート部に固定具挿通孔を形成し固定具を装着して洗濯物を、シート状のブラインドに形成して目隠しを行う物干し用カバーである、庭先などに移動などできず軒下のみに固定され使用が限定される物である。
上記特許文献３の示す目隠しパネルは、３枚の羽根を有する回転部目隠し部を、回転自在に取り付け窓や格子に固定する、建物に制限され移動などが出来ない物である。
上記特許文献４の示す並列する支柱フエンスに取り付する羽根で、傾斜させた羽を後方に屈曲させ斜めに形成、並列する支柱間の上下支持溝で固定するフエンス、敷地外周に設置され移動できない物である。
上記特許文献５の示す丸棒台木に半円形羽板を被せたパッキン、半円形羽板と球形パッキンを積層させ取り付棒に設置し編紐で吊り下げる、ブラインドであり取り付間隔や外が見透視できず移動ができない物である。
上記特許文献６の示す目隠しパネルで、矩形の平板全面に貫通する多数の貫通孔を穿設した目隠しパネル、正方形孔で各辺をランダムに穿設したパネルでベランダ等に設置され移動が簡単ではない物である。
上記特許文献７の示す紙製の窓ガラスに吸着剤で貼り付けする目隠し、紙の片面に吸着層を設けガラス窓に吸着させる窓ガラス用目隠しで、窓ガラスのみ使用出来る物である。
【課題を解決するための手段】
【０００５】  上記、課題を解決するため、本考案は、物干し等で下着の盗難を防ぐ目隠しすだれで、長さ１００ｃｍ程のすだれに簾固定紐をすだれ上部で折返して、挟み込み縫い付装着しすだれパットとし、内部に簾固定紐を通せる空間を有して洗濯竿の下着に合わせ、左右に移動し覆い隠すことで女性の下着を、家の外からは直視させず盗難を予防し、素材により捲り上がりを軽減する金属製の錘を装着し、道路の高架橋や隣が高い棟等近くでは軒下の高い位置に設置し、高い場所からの部屋内部の直視を防ぎプライバシーを守る、簾固定紐輪で取り付や取り外しが簡単で場所の移動や収納も簡単な、目隠しすだれである
【考案の効果】
【０００６】  本考案は、物干し等での下着の盗難を防止するすだれ、幅広で長さ９０ｃｍ程のすだれすだれで素材に模様等の色彩加工を施して、洗濯した下着を家の外からは直視させない目隠しすだれ、すだれの素材により捲り上がりを軽減する錘を装着して、洗濯物の下着に合わせすだれパットで左右に移動させ隠して盗難を予防、隣が高い棟等や高い場所から部屋内部の直視を防げてプライバシーを守る、簾固定紐輪で取り付や取り外しが簡単で、他の場所への移動や収納ができる、目隠しすだれである。
【図面の簡単な説明】
【０００７】
【図１】本考案の、洗濯物の周りをすだれで覆い隠す、設置例図。
【図２】（Ａ）と（Ｂ）は、すだれパットにすだれと紐を挟み込む、装着例図。
【図３】（Ｃ）から（Ｅ）は、すだれとすだれパットを構築させる各部材の、部材図。
【考案を実施するための形態】
【０００８】    物干し等での下着の盗難を防ぐ目隠しすだれ、すだれ素材に模様等の色彩加工を施して、長さ約１００ｃｍ程の長さのすだれと簾固定紐を、すだれに挟み込み縫い付け装着しすだれパットを構築、内部には簾固定紐を通せる空間を有し、素材により風による捲り上がりを軽減する錘を装着して、洗濯物の下着に合わせ左右に移動させ隠すことで直視させない、道路の高架橋や隣が高い棟等近くでは軒下の高い位置に設置し、高い場所等からの部屋内部の直視を防いでプライバシーを守り、軒下等の設置は簾固定紐輪を使用して取り付け取り外しが簡単で、収納しやすい、目隠しすだれ。
【実施例】
【０００９】［図１］は、本考案の目隠しすだれ、洗濯竿６の周りを化繊布等のすだれ５の素材に植物の色彩加工を施し、すだれパット３で移動してすだれ５で覆い隠し、家の外からは下着７を直視させない長さ約９０ｃｍ程のすだれ５の、目隠しすだれ図で。
ベランダの柱等に簾固定紐輪２で取り付し、洗濯竿６の周りをすだれ５で覆い隠して、簾固定紐間をすだれパット３で左右に移動して家の外からは下着７を直視させない、目隠しすだれの設置例図である。【００１０】［図２］（Ａ）と（Ｂ）は、すだれパット３にすだれ５と簾固定紐１を挟み込み、装着例図と作製例図。
［図２］（Ａ）は、すだれ５に植物の色彩加工を施して、簾固定紐１をすだれ５の上部で縫い付け装着して、内部に簾固定紐１を通せる空間を有するすだれパット３を構築し、すだれパット３の増減や下着７の吊り下げ場所に合わせ、すだれパット３を左右に移動させて素材により、錘５を取り付けた、装着例図である。
［図２］（Ｂ）は、すだれ５の上部に取り付け用の簾固定紐輪２を構築した、簾固定紐１を置きすだれ５で簾固定紐１を折返し線８の位置に、挟み込み縫い付けしてすだれパット３を作製する、作製例図である。【００１１】［図３］（Ｃ）から（Ｅ）は、すだれパット３を作製するための各部材図である。
［図３］（Ｃ）は、植物の色彩加工を施した長さ１００ｃｍ程のすだれ５で、簾固定紐１を挟み込み縫い付け装着して、すだれパット３部を作成する、部材図である。
［図３］（Ｄ）は、素材により、風ですだれ５の捲り上がりを軽減する金属製の錘５で、幅約３０ｍｍ高さ１５ｍｍ程の錘５で取り付穴を開けた、部材図である。
［図３］（Ｅ）は、化繊等の簾固定紐１で先端を湾曲させ、簾固定紐輪２を構築した長さ約４ｍ程の、部材図である。
【産業上の利用可能性】
【００１２】  本考案は、防犯用の目隠しすだれ、素材に模様等の色彩加工を施したすだれで、簾固定紐を挟み込み縫い付けてすだれパットとし、内部には簾固定紐を通せる空間を有し、すだれパットを洗濯竿の下着の周りを左右に移動させ、覆い隠して下着を直視させず盗難を予防する、素材により風による捲り上がりを軽減する錘を装着でき、道路の高架橋や隣が高い棟等近くは軒下等の高い位置に設置し、高い場所からの部屋内部の直視を防ぎプライバシーを守ることができ、簾固定紐輪で軒下等に取り付や取り外しが簡単であり場所の移動もでき、使用しない時には収納できる、目隠しすだれである。
【符号の説明】        １  簾固定紐
２  簾固定紐輪
３  すだれパット
４  錘
５  すだれ
６  洗濯竿
７  下着
８  折返し線
【図１】
0003201013.tif 000003
【図２】
0003201013.tif 000004
【図３】
0003201013.tif 000005
【手続補正書】
【提出日】平成27年8月28日(2015.8.28)
【手続補正１】
【補正対象書類名】実用新案登録請求の範囲
【補正対象項目名】全文
【補正方法】変更
【補正の内容】
【実用新案登録請求の範囲】
【請求項１】
防犯用の目隠しすだれであって物干し等の下着を直視させないことで盗難を防止する化繊布や綿布の短冊状で長さ９０ｃｍ幅３０ｃｍ程のすだれに簾固定紐は目隠しすだれと同様の素材を使用し目隠しすだれの上部片を折返し挟み込みすだれのパット部を構成して縫い付する事で目隠しすだれのパットを構築する前記すだれパットは簾固定紐を通せる空間を有し前記空間内に前記紐を通すことで紐に沿って前記すだれを移動でき簾固定紐に長さ９０ｃｍ程の目隠しすだれを洗濯物の周りを覆い隠す枚数を取り付けて家の外から女性の下着を覆い隠して直視させず盗難を防止することを特徴とする目隠しすだれ
【請求項２】
請求項１に記載の防犯用の目隠しすだれであってすだれ素材に模様等の色彩加工を施せて簾固定紐間で長さ９０ｃｍ程の目隠しすだれを下着の位置に合わせすだれパット空間内の前記紐に沿って前記すだれパットで左右に移動し目隠しすだれで覆い隠して下着を直視させない道路の高架橋や隣が高い棟等の近くでは軒下等に張設し高い場所から部屋内部の直視を防ぎプライバシーを守り簾固定紐の先端を湾曲させて１０ｃｍ程の簾固定紐の輪を構築してこの簾固定紐輪を洗濯竿や構造壁の突起物に引っ掛け張設でき使用しない時には簡単に収納出来ることを特徴とする目隠しすだれ